(57)【要約】【課題】  目標の意義と全体像を俯瞰できる透明性の高い目標管理システムの実現を、解決すべき課題とする。【解決手段】  成果及び目標を含む成果目標、達成進捗、締切日時、責任者及び関係者に係る情報を含む成果目標情報を入力するための成果目標入力画面と、前記成果目標情報を含む成果目標表示画面と、を表示処理する表示手段と、前記成果目標情報に係る従属関係に基づき、前記達成進捗を算出する計算手段と、前記成果目標情報に係る入力を受付処理する受付手段と、を有し、前記成果目標表示画面は、前記達成進捗を示すチャート図、及び、前記従属関係を示すパスと前記成果目標情報を示す表示とを含むネットワーク図を、含むこと、を特徴とする目標管理システムを実現する。【選択図】図１
2020046733.tif 000002
【特許請求の範囲】
【請求項１】
目標管理システムであって、
成果及び目標を含む成果目標、達成進捗、締切日時、責任者及び関係者に係る情報を含む成果目標情報を入力するための成果目標入力画面と、前記成果目標情報を含む成果目標表示画面と、を表示処理する表示手段と、
前記成果目標情報に係る従属関係に基づき、前記達成進捗を算出する計算手段と、
前記成果目標情報に係る入力を受付処理する受付手段と、を有し、
前記成果目標表示画面は、前記達成進捗を示すチャート図、及び、前記従属関係を示すパスと前記成果目標情報を示す表示とを含むネットワーク図を、含むこと、
を特徴とする目標管理システム。
【請求項２】
前記表示手段は、任意の前記成果目標情報において、入力された前記達成進捗と、前記従属関係に基づき算出された前記達成進捗と、が相違する場合、該相違を示す情報を表示処理すること、
を特徴とする請求項１に記載の目標管理システム。
【請求項３】
前記計算手段は、任意の前記成果目標情報において、入力された前記達成進捗と、前記従属関係に基づき算出された前記達成進捗と、が相違する場合、ユーザ入力された前記達成進捗に基づく前記算出を抑止すること、
を特徴とする請求項１又は２に記載の目標管理システム。
【請求項４】
前記表示手段は、前記成果目標情報が指定されることを転機として、該成果目標情報に係る前記従属関係に基づき、前記ネットワーク図を表示処理すること、
を特徴とする請求項１〜３の何れかに記載の目標管理システム。
【請求項５】
前記表示手段は、前記責任者又は関係者に係る情報に基づき、前記ネットワーク図を表示処理すること、
を特徴とする請求項１〜４の何れかに記載の目標管理システム。
【請求項６】
前記受付手段は、前記締切日時を超過した前記成果目標情報に係る受付処理を抑止し、前記表示手段は、前記成果目標表示画面における、該成果目標情報に係る表示を、外観上、区別し、表示処理すること、
を特徴とする請求項１〜５の何れかに記載の目標管理システム。
【請求項７】
前記受付手段は、前記従属関係に係る入力を受付処理し、
前記表示手段は、ユーザ入力に基づき、前記ネットワーク図を表示処理すること、
を特徴とする請求項１〜６の何れかに記載の目標管理システム。
【請求項８】
前記表示手段は、前記ネットワーク図において、一次元方向における前記成果目標情報の表示数に係る制限、及び、前記パスに係る交差の抑止を、行うこと、
を特徴とする請求項１〜７の何れかに記載の目標管理システム。
【請求項９】
目標管理方法であって、
成果及び目標を含む成果目標、達成進捗、締切日時、責任者及び関係者に係る情報を含む成果目標情報を入力するための成果目標入力画面と、前記成果目標情報 を含む成果目標表示画面と、を表示処理する表示ステップと、
前記成果目標情報に係る従属関係 に基づき、前記達成進捗を算出する計算ステップと、
前記成果目標情報に係る入力を受付処理する受付ステップと、をコンピュータのプロセッサに実行させ、
前記成果目標表示画面は、前記達成進捗を示すチャート図、及び、前記従属関係を示すパスと前記成果目標情報を示す表示とを含むネットワーク図を、含むこと、
を特徴とする目標管理方法。
【請求項１０】
目標管理プログラムであって、
コンピュータを、成果及び目標を含む成果目標、達成進捗、締切日時、責任者及び関係者に係る情報を含む成果目標情報を入力するための成果目標入力画面と、前記成果目標情報 を含む成果目標表示画面と、を表示処理する表示手段と、
前記成果目標情報に係る従属関係 に基づき、前記達成進捗を算出する計算手段と、
前記成果目標情報に係る入力を受付処理する受付手段と、として機能させ、
前記成果目標表示画面は、前記達成進捗を示すチャート図、及び、前記従属関係を示すパスと前記成果目標情報を示す表示とを含むネットワーク図を、含むこと、
を特徴とする目標管理プログラム。
【発明の詳細な説明】
【技術分野】
【０００１】
本発明は、目標管理システム、目標管理方法および目標管理プログラムに関する。
【背景技術】
【０００２】
従来から、個々の作業についての進捗状況とともに、作業全体の進捗状況や、担当者毎の作業量、進捗状況等を一つの画面上で、視覚的に把握させることを可能とする進捗マップを用いた進捗管理システムが提供されている。
【０００３】
また、進捗管理システムであって、進捗マップ表示部及び担当者一覧表示部を有する進捗管理画面を有し、進捗マップ表示部は、ガントチャートに基づき、各作業を示す作業ユニットと、隣接する作業ユニット間を接続する連結線とによりグラフ構造とした進捗マップを表示し、作業ユニット上には、対応付けられた作業の担当者と、進捗率と、進捗率及び価値に基づく作業ユニット価値とを表示し、担当者一覧表示部には、作業ユニットに対応付けられた担当者の一覧を表示するとともに、各担当者毎の作業ユニット価値の合計値を担当者成果値として表示すること、を特徴とする進捗管理システムに関する技術が知られている（引用文献１）。
【先行技術文献】
【特許文献】
【０００４】
【特許文献１】特開２００７−９４４６７号公報
【発明の概要】
【発明が解決しようとする課題】
【０００５】
しがしながら、重要度の高い達成すべき目標に係る組織内の意識共有と、該目標に関連する個々の成果に対応付けられた達成進捗に係る組織内の意識共有と、を両立する、透明性の高いプロセスマネジメントツールは、未だ、汎く浸透していない。
【０００６】
プロセスマネジメントにおける透明性の高さとは、事業目標等に係る意義、戦略及び全体像を参画者が容易に俯瞰でき、施策による全体最適が容易であること、を指す。このとき、中間目標を適切に抽出／設定することと、中間目標と個別成果若しくは全体目標との関係性を明確化することと、が目標達成を実現する上で肝要となる。
【０００７】
本発明は、上記のような実情に鑑みてなされたものであり、目標の意義と全体像を俯瞰できる透明性の高い目標管理システムの実現を、解決すべき課題とする。
【課題を解決するための手段】
【０００８】
上記課題を解決するために、本発明は、目標管理システムであって、
成果及び目標を含む成果目標、達成進捗、締切日時、責任者及び関係者に係る情報を含む成果目標情報を入力するための成果目標入力画面と、前記成果目標情報 を含む成果目標表示画面と、を表示処理する表示手段と、
前記成果目標情報に係る従属関係 に基づき、前記達成進捗を算出する計算手段と、
前記成果目標情報に係る入力を受付処理する受付手段と、を有し、
前記成果目標表示画面は、前記達成進捗を示すチャート図、及び、前記従属関係を示すパスと前期成果目標情報を示す表示とを含むネットワーク図を、含むことを特徴とする。
【０００９】
このような構成とすることで、目標の意義と全体像を俯瞰できる高い透明性を維持し、事業目標に対する好適な成果設定と、成果設定の全体最適化と、が可能な目標管理システムを実現できる。
【００１０】
本発明の好ましい形態では、前記表示手段は、任意の前記成果目標情報において、入力された前記達成進捗と、前記従属関係に基づき算出された前記達成進捗と、が相違する場合、該相違を示す情報を表示処理すること、を特徴とする。
このような構成とすることで、目標の達成進捗に係るユーザの誤認識を防止すると共に、上位成果目標に対し、従属関係にある成果目標の適合性の確認と、好適な成果設定と、を促すことができる。
【００１１】
本発明の好ましい形態では、前記計算手段は、任意の前記成果目標情報において、入力された前記達成進捗と、前記従属関係に基づき算出された前記達成進捗と、が相違する場合、ユーザ入力された前記達成進捗に基づく前記算出を抑止すること、を特徴とする。
このような構成とすることで、誤った入力値に基づく不正確な達成状況の共有を抑止すると共に、参画者の作業量に基づく上位成果目標への精確な貢献量の把握を実現できる。
【００１２】
本発明の好ましい形態では、前記表示手段は、前記成果目標情報が指定されることを転機として、該成果目標情報に係る前記従属関係に基づき、前記ネットワーク図を表示処理すること、を特徴とする。
このような構成とすることで、成果目標に係る従属関係を、ユーザが直感的に理解することができる。
【００１３】
本発明の好ましい形態では、前記表示手段は、前記責任者又は関係者に係る情報に基づき、前記ネットワーク図を表示処理すること、を特徴とする。
このような構成とすることで、特定の責任者又は関係者に対応付けられた成果目標情報を、ネットワーク図の態様で表示処理できる。
【００１４】
本発明の好ましい形態では、前記受付手段は、前記締切日時を超過した前記成果目標情報に係る受付処理を抑止し、前記表示手段は、前記成果目標表示画面における、該成果目標情報に係る表示を、外観上、区別し、表示処理すること、を特徴とする。
このような構成とすることで、設定された期限内の目標に係る達成進捗の意識共有が可能となり、効率的な目標管理が実現できる。
【００１５】
本発明の好ましい形態では、前記受付手段は、前記従属関係に係る入力を受付処理し、前記表示手段は、該ユーザ入力に基づき、前記ネットワーク図を表示処理すること、を特徴とする。
このような構成とすることで、目標に対する好適な成果の設定ができ、目標達成に係る成果設定の全体最適化が実現できる。
【００１６】
本発明の好ましい形態では、前記表示手段は、前記ネットワーク図において、一次元方向における前記成果目標情報の表示数に係る制限、及び、前記パスに係る交差の抑止を、行うこと、を特徴とする。
このような構成とすることで、成果目標情報に係る従属関係を含むネットワーク図の視認性を担保した好適な目標管理が実現できる。
【００１７】
本発明は、目標管理方法であって、
成果及び目標を含む成果目標、達成進捗、締切日時、責任者及び関係者に係る情報を含む成果目標情報を入力するための成果目標入力画面と、前記成果目標情報 を含む成果目標表示画面と、を表示処理する表示ステップと、
前記成果目標情報に係る従属関係に基づき、前記達成進捗を算出する計算ステップと、
前記成果目標情報に係る入力を受付処理する受付ステップと、をコンピュータのプロセッサに実行させ、
前記成果目標表示画面は、前記達成進捗を示すチャート図、及び、前記従属関係を示すパスと前記成果目標情報を示す表示とを含むネットワーク図を、含むこと、を特徴とする。
【００１８】
本発明は、目標管理プログラムであって、
コンピュータを、成果及び目標を含む成果目標、達成進捗、締切日時、責任者及び関係者に係る情報を含む成果目標情報を入力するための成果目標入力画面と、前記成果目標情報 を含む成果目標表示画面と、を表示処理する表示手段と、
前記成果目標情報に係る従属関係 に基づき、前記達成進捗を算出する計算手段と、
前記成果目標情報に係る入力を受付処理する受付手段と、として機能させ、
前記成果目標表示画面は、前記達成進捗を示すチャート図、及び、前記従属関係を示すパスと前記成果目標情報を示す表示とを含むネットワーク図を、含むこと、を特徴とする。
【発明の効果】
【００１９】
本発明によれば、目標の意義と全体像を俯瞰できる透明性の高い目標管理システムを実現できる。
【図面の簡単な説明】
【００２０】
【図１】本発明の実施形態における成果目標情報の概要図である。
【図２】本発明の実施形態における目標管理システムのハードウェア構成図及び機能ブロック図である。
【図３】本発明の実施形態における成果目標表示画面及び成果目標入力画面に係る処理手順を示すシーケンス図である。
【図４】本発明の実施形態における成果目標情報のデータ構造、及び、成果目標表示画面の概要図である。
【図５】本発明の実施形態における成果目標表示画面の表示例を示す図である。
【図６】本発明の実施形態における成果目標入力画面の表示例である。
【図７】本発明の実施形態における成果目標入力画面の表示例である。
【発明を実施するための形態】
【００２１】
以下、図面を用いて、本発明に係る目標管理システム１について説明する。なお、以下に示す実施形態は本発明の一例であり、本発明を以下の実施形態に限定するものではなく、様々な構成を採用することもできる。
【００２２】
例えば、本実施形態では、目標管理システム１の構成、動作などについて説明するが、同様の構成の方法、サーバ装置、コンピュータプログラム、記録媒体なども、同様の作用効果を奏することができる。
【００２３】
本実施形態におけるプログラムは、記録媒体に記憶させてもよい。この記録媒体を用いれば、例えばコンピュータにプログラムをインストールできる。ここで、プログラムを記憶した記録媒体は、例えば、ＣＤ−ＲＯＭ等の非一過性の記録媒体であっても良い。
【００２４】
図１は、本実施形態における成果目標情報の概要を図示している。本実施形態における成果目標情報とは、目標及び成果に係る情報とを含む、ＯＫＲ（Ｏｂｊｅｃｔｉｖｅ  ａｎｄ  Ｋｅｙ  Ｒｅｓｕｌｔｓ）形式の目標管理フレームワーク上の単位情報を指す。
【００２５】
ＯＫＲ形式の目標管理フレームワークでは、目標（Ｏｂｊｅｃｔｉｖｅ）と従属関係をもつ下位の重要な成果（Ｋｅｙ  Ｒｅｓｕｌｔ）とが、対応付けられる。このとき、該成果に基づき、該目標とは別の目標が設定され、さらに下位の成果が対応付けられる。
【００２６】
図１に示す通り、本実施形態における一例では、成果目標情報ＯＫＲ１は、上位ＯＫＲとして、目標及び該目標と従属関係をもつ下位の成果に係る情報を含む。さらに、成果目標情報ＯＫＲ１と、該成果に対応付けられた目標に係る情報を含む下位ＯＫＲとしての成果目標情報ＯＫＲ２と、は従属関係をもつ構成が好ましい。なお、本実施形態における、目標及び／又は成果を含む目標管理に係る情報の総体を、以後、成果目標と称する。
【００２７】
図２は、本発明の実施形態に係る目標管理システム１のハードウェア構成図（図２（ａ）、図２（ｂ））及び機能ブロック図（図２（ｃ））を示している。
【００２８】
図２（ａ）に示す通り、ユーザ端末２は、演算装置（ＣＰＵ２０１）と、主記憶装置（ＲＡＭ２０２）と、入力装置２０３と、出力装置２０４と、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）、外部の装置とネットワークＮＷを介して通信を行う為のインタフェースである通信装置２０５と、フラッシュメモリなどの補助記憶装置（記録装置２０６）と、を備えている。また、記録装置２０６は、オペレーティングシステム２０７と、オペレーティングシステム２０７と協調してその機能を発揮する目標管理プログラム２０８等が記録されている。
【００２９】
図２（ｂ）に示す通り、管理サーバ３は、演算装置（ＣＰＵ３０１）と、主記憶装置（ＲＡＭ３０２）と、入力装置３０３と、出力装置３０４と、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）、外部の装置とネットワークＮＷを介して通信を行う為のインタフェースである通信装置３０５と、フラッシュメモリなどの補助記憶装置（記録装置３０６）と、を備えている。また、記録装置３０６は、オペレーティングシステム３０７と、オペレーティングシステム３０７と協調してその機能を発揮する目標管理プログラム３０８等が記録されている。
【００３０】
入力装置２０３、３０３は、キーボード、タッチパネル等の入力デバイスとし、出力装置２０４、３０４は、ディスプレイ等の構成とすることが好ましい。なお、本実施形態における入力装置及び出力装置は、タッチパネルディスプレイ等の態様で、入力機能及び出力機能を併せ持つ構成としてもよい。
【００３１】
通信装置２０５、３０５は、ネットワークＮＷを介して、例えば、通信プロトコルにＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等を用いてデータ通信ができる。なお、ネットワークＮＷは、例えば、ＣＡＴＶ（Ｃｏｍｍｕｎｉｔｙ  Ａｎｔｅｎｎａ  Ｔｅｌｅｖｉｓｉｏｎ）回線や、移動体通信網等、種々の回線を利用することができ、特に制限はない。
【００３２】
また、本実施形態では、目標管理に係る通知は、ユーザ端末２に記憶したアプリケーションを用いて行う。該通知はこれに限らず、例えば、ユーザのメールアドレスに対して電子メールを送信する方法や、その他、ＳＭＳ（Ｓｈｏｒｔ  Ｍｅｓｓａｇｅ  Ｓｅｒｖｉｃｅ）等、種々の方法を利用することができる。このとき、ユーザ端末２は、アプリケーションに代え、又は加えて、目標管理用のウェブページを利用する為の、ウェブブラウザアプリケーションや、通知を確認する為のメーラーアプリケーションを記憶する、という構成にしてもよい。
【００３３】
本実施形態において、管理サーバ３は、表示手段３１と、計算手段３２と、受付手段３３と、を有する。
【００３４】
表示手段３１は、成果目標表示画面Ｗ１、又は、成果目標入力画面Ｗ２を表示処理するために用いられる。このとき、成果目標入力画面Ｗ２は、成果目標表示画面Ｗ１と重ねて表示処理される構成が好ましい。成果目標表示画面Ｗ１は、成果目標、達成進捗、締切日時、責任者及び関係者に係る情報を含む成果目標情報と、該成果目標情報に係る従属関係と、該成果目標情報の表示処理形式を指定するための入力部と、を有する。
【００３５】
本実施形態における、成果目標情報に係る従属関係は、成果目標表示画面Ｗ１上でネットワーク図の態様で表示処理される。該ネットワーク図は、成果目標情報がノードとして表示処理され、該従属関係は該ノード間を結ぶ線分の態様で表示処理される。このとき、成果目標情報に係る責任者情報又は関係者情報に基づき、該線分が外観上、区別された態様で表示処理される。
【００３６】
本実施形態における、成果目標情報に係る達成進捗は、成果目標表示画面Ｗ１上でチャート図の態様で表示処理される。このとき、ユーザ操作により、パイチャート図若しくはバーグラフ図の何れかの表示処理形式を指定可能である構成が好ましい。このとき、成果情報Ｄ１に対応付けられた達成進捗に基づき、パイの幅が決定される構成が好ましい。
【００３７】
計算手段３２は、成果目標情報に係る達成進捗の算出を行う。該達成進捗は、成果目標情報に係る従属関係に基づき、算出される。具体的には、任意の成果目標に係る達成進捗は、該成果目標の直下の成果目標の達成進捗に基づき、算出される。一例として、任意の目標に２つの成果が従属し、それぞれ、２０％、８０％の達成進捗である場合、該目標に係る達成進捗は、該成果に係る達成進捗の平均値（５０％）と算出される。
【００３８】
受付手段３３は、成果目標入力画面Ｗ２を介して行われる成果目標情報の入力に係る受付処理を行い、該成果目標情報をデータベースＤＢ３に記憶する。本実施形態では、成果目標情報の入力処理は、ユーザ端末２を介して行われるが、その他、ＡＰＩ（Ａｐｐｌｉｃａｔｉｏｎ−Ｐｒｏｇｒａｍｍｉｎｇ−Ｉｎｔｅｒｆａｃｅ）を経由した外部サービス等、種々の経路より行われてもよい。
【００３９】
本実施形態では、管理サーバ３において、表示手段３１、計算手段３２及び受付手段３３に係る処理が行われ、ユーザが所有するユーザ端末２において、該処理に係る入力処理及び画面上の表示処理が行われる場合について例示している。本実施形態では、該処理の少なくとも一部がユーザ端末２において、行われる構成としてもよい。
【００４０】
次に、本実施形態における成果目標表示画面Ｗ１及び成果目標入力画面Ｗ２に係る処理手順を図示する。図３は、該処理手順を示すシーケンス図である。
【００４１】
本実施形態では、ユーザ操作により、ユーザ端末２及びネットワークＮＷを介して、成果目標表示画面Ｗ１に係る表示処理意思の入力処理が行われることを転機として、成果目標表示画面Ｗ１に係る表示処理が行われる（ステップＳ１０１）。
【００４２】
ステップＳ１０１では、ユーザ識別情報及びユーザ鍵情報に基づくログイン認証の態様で、成果目標表示画面Ｗ１に係る表示意思の入力処理が、管理サーバ３側で検証される構成としてもよい。このとき、成果目標情報に係る表示処理における責任者に係る情報の指定が、ユーザ識別情報に基づき、行われる構成としてもよい。
【００４３】
成果目標入力画面Ｗ２は、成果目標表示画面Ｗ１上でユーザ操作による表示意思入力が行われることを転機として、成果目標表示画面Ｗ１上に重ねて表示処理される構成が好ましい（ステップＳ１０２）。
【００４４】
ユーザ操作による成果目標情報に係る入力処理は、成果目標入力画面Ｗ２を介して行われる（ステップＳ２００）。このとき、ユーザ操作を転機として、新規作成（ステップＳ２０１）、孤立ＯＫＲ紐付け（ステップＳ２０２）及び前期ＯＫＲコピー（ステップＳ２０３）の何れかの入力画面モードに基づき、成果目標入力画面Ｗ２が表示処理される。該入力画面モードの詳細については、後述する。
【００４５】
成果目標入力画面Ｗ２に係る表示処理取消は、成果目標情報に係る入力確定意思が入力処理されることを転機として行われ、データベースＤＢ３上に該成果目標情報は格納される（ステップＳ１０３）。なお、該入力確定意思ではなく、該成果目標情報に係る入力取消意思が入力処理されることを転機として、該表示処理取消が行われる構成としてもよい。このとき、該成果目標情報は、データベースＤＢ３上に格納されない。該表示処理取消が行われた場合、成果目標表示画面Ｗ１が表示処理される。
【００４６】
成果目標入力画面Ｗ２において、入力処理される成果目標情報は、文字列の態様である構成が好ましい。また、トグル形式の入力部を介して、成果目標情報が、択一的に選択される構成としてもよい。このとき、該選択において表示処理される１以上の成果目標情報は、表示手段３１によるデータベースＤＢ３上の参照処理に基づき、索出処理される。
【００４７】
成果目標表示画面Ｗ１では、データベースＤＢ３上に格納された成果目標情報に基づき、表示処理が行われる（ステップＳ３００）。このとき、成果目標表示画面Ｗ１は、成果目標情報に係る成果目標の他、達成進捗を示すチャート図及び従属関係を示すネットワーク図を含む。該表示処理の詳細は後述する。
【００４８】
成果目標表示画面Ｗ１において、ユーザ操作により成果目標情報が指定された場合（ステップＳ１０４）、該指定に基づく成果目標表示画面Ｗ１に係る表示処理が行われる（ステップＳ４００）。該表示処理では、一例として、指定された成果目標情報に含まれる責任者に係る情報に基づき、該責任者が対応付けられた成果目標情報を、外観上、区別し表示処理する。該表示処理の詳細は後述する。
【００４９】
本実施形態では、ユーザが、入力内容を含む、成果目標表示画面Ｗ１及び／又は成果目標入力画面Ｗ２に係る挙動を、逐次、確認できる構成が好ましい。これにより、入力された成果目標情報が反映された結果を、その都度、画面上で確認することができ、ユーザによる好適な目標管理を実現できる。
【００５０】
図４（ａ）と、図４（ｂ）及び図４（ｃ）とは、それぞれ、成果目標情報に係るデータ構造と、成果目標情報を含むネットワーク図に係る表示処理の概要とを、図示している。
【００５１】
図４（ａ）に示す通り、成果目標情報における目標情報Ｄ２は、成果情報Ｄ１と、従属関係に基づき対応付けられている。該目標情報Ｄ２及び該成果情報Ｄ１は、ユーザ操作により、成果目標入力画面Ｗ２を介して、入力処理される構成が好ましい。
【００５２】
本実施形態における１の成果目標情報には、１の目標情報Ｄ２及び１以上の成果情報Ｄ１が含まれ、異なる複数の目標情報Ｄ２は併せて含まれない構成が好ましい。
【００５３】
また、成果目標情報における目標情報Ｄ２は、ユーザ操作により入力処理された、責任者情報Ｄ３、関係者情報Ｄ４、達成進捗情報Ｄ５及び締切情報Ｄ６に対応付けられる。このとき、関係者情報Ｄ４に係る入力が行われない構成としてもよい。
【００５４】
本実施形態における責任者とは、成果目標に係る作業管理を行う義務が課された者を、指す。また、関係者とは、成果目標に係る作業管理を行う義務は課されていないものの、該作業に係る監修若しくは補助が実行可能な者等を、指す。
【００５５】
達成進捗情報Ｄ５は、成果目標に対応付けられた達成進捗を指し、成果目標に係る従属関係に基づき、計算手段３２により、算出される構成が好ましい。このとき、算出された達成進捗と、入力処理された達成進捗とが、相違する場合、成果目標表示画面Ｗ１及び／又は成果目標入力画面Ｗ２０上で、該相違を示す情報が表示処理される。
【００５６】
次に、成果目標情報に係る表示処理の概要を、図４（ｂ）を交えて、例示する。本実施形態では、成果目標情報に含まれる種々の情報を一括表示処理する、１以上の成果目標情報表示部Ｃ０が、ネットワーク図の態様で成果目標表示画面Ｗ１上に表示処理される。
【００５７】
成果目標情報表示部Ｃ０では、成果情報Ｄ１、目標情報Ｄ２、責任者情報Ｄ３及び達成進捗情報Ｄ５が表示処理される。具体的には、目標（Ｏｂｊｅｃｔｉｖｅ）を示す文字列と、該目標と従属関係をもつ下位の成果（Ｋｅｙ  Ｒｅｓｕｌｔ）を示す文字列とが、該目標／成果に対応付けられた責任者及び達成進捗に係る情報と併せて、表示処理される。
【００５８】
１以上の成果目標情報表示部Ｃ０を含む成果目標マップＭ０Ａは、ネットワーク図の態様で表示処理される。該ネットワーク図では、ノードとしての成果目標情報表示部Ｃ０と、該ノード間を結ぶ成果目標従属パスＰ０として表示処理される。
【００５９】
具体的には、階層Ｌ１Ａに配置処理された成果目標情報表示部Ｃ０と、階層Ｌ２Ａに配置処理された成果目標情報表示部Ｃ０とは、階層Ｌ１Ａにおける成果情報Ｄ１と階層Ｌ２Ａにおける目標情報Ｄ２とが同一となる。つまり、成果目標従属パスＰ０は、該成果目標従属パスＰ０の上流に対応付けられた成果目標情報表示部Ｃ０における、目標情報Ｄ２と成果情報Ｄ１との従属関係を示す。
【００６０】
本実施形態では、１の成果目標情報表示部Ｃ０より延伸する１以上の成果目標従属パスＰ０に係る交差が抑止される構成であることが好ましい。一例として、成果目標マップＭ０Ａ及びＭ０Ｂでは、同一の成果目標情報表示部Ｃ０より延伸する成果目標従属パスＰ０が複数ある場合、該成果目標従属パスＰ０は系統樹の態様で、表示処理される。
【００６１】
階層Ｌ２Ａ及びＬ３Ａにおけるネットワーク図は、成果目標情報に基づいた、成果目標従属パスＰ０間の表示処理の調整の一例を図示している。
【００６２】
成果目標従属パスＰ０の上流及び下流の成果目標情報表示部Ｃ０に係る責任者情報Ｄ３が一致する場合、成果目標従属パスＰ０は実線の態様で表示処理される。一方、成果目標従属パスＰ０の上流及び下流の成果目標情報表示部Ｃ０に係る責任者情報Ｄ３が相違する場合、成果目標従属パスＰ０は破線の態様で表示処理される。
【００６３】
本実施形態では、実線の態様で表示処理される成果目標従属パスＰ０と、破線の態様で表示処理される成果目標従属パスＰ０とが、重複する場合、重複部分における成果目標従属パスＰ０は、実線の態様で表示処理される構成が好ましい。また、該重複部分は、階層における中央部である構成が好ましい。本実施形態における該中央部は、表示画面上の横方向の中央部を指す。
【００６４】
階層Ｌ３Ａ及びＬ４Ａにおけるネットワーク図は、成果目標従属パスＰ０の上流に対応付けられた成果目標情報表示部Ｃ０が、同一の階層内で一次元方向に配列された１以上の成果目標情報表示部Ｃ０の内の端部である場合の、表示処理を指す。本実施形態では、該一次元方向が横方向である場合について、例示している。
【００６５】
階層Ｌ５Ａ及びＬ６Ａにおけるネットワーク図は、成果目標従属パスＰ０の下流に対応付けられた成果目標情報表示部Ｃ０が１である場合の表示処理を例示している。同一の階層内の成果目標情報表示部Ｃ０が１である場合、該成果目標情報表示部Ｃ０は、横方向における所定位置に配置処理される構成が好ましい。
【００６６】
階層Ｌ６Ａ、Ｌ７Ａ及びＬ８Ａにおけるネットワーク図は、成果目標従属パスＰ０の下流に対応付けられた成果目標情報表示部Ｃ０が所定数を超過した場合の、表示処理を指す。該ネットワーク図は、所定数が４であり、該下流に対応付けられた成果目標情報表示部Ｃ０が５である場合の例を示している。
【００６７】
成果目標従属パスＰ０の下流に対応付けられた成果目標情報表示部Ｃ０が所定数を超過した場合、下流の成果目標情報表示部Ｃ０は、階層Ｌ７Ａ及びＬ８Ａにおいて、分割して表示処理される。このとき、階層Ｌ６Ａ上の成果目標情報表示部Ｃ０から延伸し階層Ｌ８Ａ上の成果目標情報表示部Ｃ０に接続する成果目標従属パスＰ０は、階層Ｌ７Ａを縦断し表示処理される。
【００６８】
成果目標従属パスＰ０の表示処理に係る異なる複数の階層上の縦断は、成果目標情報表示部Ｃ０に係る表示処理範囲外において行われる構成が好ましい。該縦断が成果目標情報表示部Ｃ０に係る表示処理範囲内で行われる場合、成果目標従属パスＰ０に対して、成果目標情報表示部Ｃ０が重ねて表示処理される。
【００６９】
図４（ｃ）に記載の通り、成果目標マップＭ０Ｂは、１以上の成果目標情報表示部Ｃ０を含むネットワーク図は、成果目標表示画面Ｗ１の表示幅に基づき、成果目標情報表示部Ｃ０に係る横方向の最大表示数が２に限定された場合の、成果目標表示画面Ｗ１に係る表示処理を例示している。
【００７０】
本実施形態では、ユーザ操作による成果目標情報表示部Ｃ０を転機として、該成果目標情報表示部Ｃ０と、該成果目標情報表示部Ｃ０に対応付けられた従属関係をもつ成果目標を示す成果目標情報表示部Ｃ０及び成果目標従属パスＰ０が、外観上、区別し表示処理される構成が好ましい（図３、ステップＳ４００）。
具体的には、対象となる成果目標情報表示部Ｃ０及び成果目標従属パスＰ０の表示処理に係る呈色や線分の広狭が、調整される構成が好ましい。
【００７１】
本実施形態では、締切情報Ｄ６に基づき、期限超過した成果目標情報を、外観上、区別し、表示処理する構成が好ましい。このとき、該成果目標情報に係る表示処理取消が行われる構成としてもよい。
【００７２】
次に、成果目標表示画面Ｗ１及び成果目標入力画面Ｗ２の表示例を、図５、図６及び図７を交えて、説明する。
【００７３】
図５（ａ）は、成果目標表示画面Ｗ１の表示例である。成果目標表示画面Ｗ１は、成果目標一覧表示部Ｗ１１及び成果目標マップ表示部Ｗ１２を含む。
【００７４】
成果目標一覧表示部Ｗ１１では、タブ切替部Ｗ１１Ａ及びＷ１１Ｂと、入力部Ｗ１１Ｃと、入力部Ｗ１１Ｄと、達成進捗情報表示部Ｄ５Ｃとが、表示処理される。達成進捗情報表示部Ｄ５Ｃでは、達成進捗がパイチャート図の態様で表示処理される。
【００７５】
成果目標一覧表示部Ｗ１１上で表示処理される、達成進捗情報表示部Ｄ５Ｃは、タブ切替部Ｗ１１Ａが選択されている場合、所定の責任者情報Ｄ３に対応付けられた１以上の目標情報Ｄ２に係る達成進捗情報Ｄ５である構成が好ましい。つまり、達成進捗情報表示部Ｄ５Ｃに含まれる達成進捗は、目標情報Ｄ２に対応付けられた成果情報Ｄ１に係る達成進捗情報Ｄ５を含む。
【００７６】
また、成果目標一覧表示部Ｗ１１上で表示処理される、達成進捗情報表示部Ｄ５Ｃは、タブ切替部Ｗ１１Ｂが選択されている場合、所定の責任者情報Ｄ３に対応付けられた１以上の成果情報Ｄ１に係る達成進捗情報Ｄ５である構成が好ましい。このとき、１の成果情報Ｄ１に対応付けられた達成進捗は、達成進捗情報表示部Ｄ５Ｂにおいて、バーグラフ図の態様で表示処理される。
【００７７】
達成進捗情報表示部Ｄ５Ｃでは、成果情報Ｄ１に対応付けられた１以上の達成進捗情報Ｄ５が外観上、区別され、表示処理される構成が好ましい。このとき、該達成進捗情報表示部Ｄ５Ｃでは、ユーザ操作により入力される自信度パラメータＤ５Ｐに基づき、該達成進捗情報Ｄ５を示す表示処理部分が呈色される。該表示処理は、達成進捗情報表示部Ｄ５Ｂにおいても行われる構成が好ましい。本実施形態における自信度パラメータＤ５Ｐは、責任者の裁量により、達成の可不可を示す見通しとして設定される構成が好ましい。
【００７８】
図５（ｂ）は、成果目標マップ表示部Ｗ１２において表示処理される成果目標情報表示部Ｃ０の表示例を示している。成果目標情報表示部Ｃ０では、成果情報Ｄ１、目標情報Ｄ２、責任者情報Ｄ３及び達成進捗情報Ｄ５が表示処理される。さらに、トグルの態様で、入力部Ｔ１及びＴ２が、表示処理される。
【００７９】
成果目標情報表示部Ｃ０では、１の目標情報Ｄ２及び１以上の成果情報Ｄ１に対応付けられた、達成進捗情報表示部Ｄ５Ｂが表示処理される。責任者情報Ｄ３は、該責任者情報Ｄ３に含まれる顔写真等の画像が、アイコンの態様で表示処理される構成が好ましい。
【００８０】
図５（ｃ）は、成果目標マップ表示部Ｗ１２において表示処理される成果目標情報表示部Ｃ０の表示例を示している。
【００８１】
責任者情報Ｄ３に対応付けられた成果情報Ｄ１が、関係者情報Ｄ４を含んでいる場合、ユーザ操作による該責任者情報Ｄ３に係る画像の指定を転機として、関係者情報表示部Ｃ０Ａが、成果目標情報表示部Ｃ０に重ねて表示処理される。このとき、該関係者情報Ｄ４に係る顔写真等の画像が表示処理される構成が好ましい。
【００８２】
入力部Ｔ１は、成果目標情報表示部Ｃ０と成果目標従属パスＰ０で接続される、直下の成果目標情報表示部Ｃ０に係る表示意思若しくは表示取消意思の入力処理に用いられる。
【００８３】
入力部Ｔ２は、該入力部Ｔ２に対応付けられた成果情報Ｄ１を含む成果目標情報表示部Ｃ０に係る表示意思若しくは表示取消意思の入力処理に用いられる。
【００８４】
図５（ｄ）は、ユーザ操作による入力部Ｗ１１Ｄの選択を転機として、成果目標表示画面Ｗ１に対して重ねて表示処理される、成果目標表示設定画面Ｗ１３を示している。
【００８５】
成果目標表示設定画面Ｗ１３は、入力部Ｔ３、Ｔ４、Ｔ５及びＴ６と、入力部Ｗ１３１と、入力部Ｗ１３２とを、含む。
【００８６】
入力部Ｔ３は、無効な成果目標を含む成果目標情報表示部Ｃ０に係る表示意思若しくは表示取消意思の入力処理に用いられる。本実施形態における無効な成果目標とは、参画者が取り組む必要性がない成果目標を指す。
【００８７】
入力部Ｔ４は、所定の責任者情報Ｄ３に対応付けられた、成果目標情報表示部Ｃ０と成果目標従属パスＰ０を介して接続される、下位の成果目標情報表示部Ｃ０に係る表示意思若しくは表示取消意思の入力処理に用いられる。
【００８８】
入力部Ｔ５は、所定の責任者情報Ｄ３に対応付けられた、目標情報Ｄ２と従属関係をもつ成果情報Ｄ１に係る表示意思若しくは表示取消意思の入力処理の用に用いられる。該表示取消意思の入力処理が行われた場合、成果目標情報表示部Ｃ０における、該成果情報Ｄ１と、該成果情報Ｄ１に対応付けられた責任者、関係者及び達成進捗に係る情報の表示処理が取り消される。
【００８９】
入力部Ｔ６は、所定の関係者情報Ｄ４に対応付けられた、成果情報Ｄ１に係る表示意思若しくは表示取消意思の入力処理に用いられる。このとき、成果目標マップ表示部Ｗ１２において表示処理される成果目標情報表示部Ｃ０は、該成果情報Ｄ１を含まない構成としてもよい。
【００９０】
入力部Ｗ１３１及び入力部Ｗ１３２は、ともに、成果目標表示設定画面Ｗ１３に係る表示取消意思の入力処理に用いられる。
【００９１】
入力部Ｗ１３２を介して成果目標表示設定画面Ｗ１３に係る表示取消意思が入力された場合、入力部Ｔ３、Ｔ４、Ｔ５及びＴ６を介して入力された内容に基づき、成果目標表示画面Ｗ１に係る表示処理が更新される。
【００９２】
本実施形態では、成果目標表示画面Ｗ１と、成果目標表示設定画面Ｗ１３とが重ねて表示処理されている際に、ユーザ操作による、該成果目標表示設定画面Ｗ１３に係る表示処理範囲外の指定を転機として、該成果目標表示設定画面Ｗ１３に係る表示処理の取消が行われる構成としてもよい。
【００９３】
次に、本実施形態における成果目標入力画面Ｗ２を、図６（ａ）、図６（ｂ）及び図６（ｃ）を交えて、例示する。
【００９４】
本実施形態における成果目標入力画面Ｗ２は、ユーザ操作による入力部Ｗ１１Ｃの指定を転機として、成果目標表示画面Ｗ１に対して、重ねて表示処理される構成が好ましい。該成果目標入力画面Ｗ２は、入力画面モードの切替のために用いられる、タブ切替部Ｗ２Ａ、Ｗ２Ｂ及びＷ２Ｃを含む。
【００９５】
図６（ａ）は、ユーザ操作によるタブ切替部Ｗ２Ａの選択を転機として、新規作成の入力画面モードが指定された際の（図３、ステップＳ２０１）、成果目標入力画面Ｗ２を図示している。
【００９６】
図６（ａ）にて例示される成果目標入力画面Ｗ２は、入力部Ｗ２Ａ１、Ｗ２Ａ２、Ｗ２Ａ３及びＷ２Ａ４と、入力部Ｗ２１と、入力部Ｗ２２と、を含む。
【００９７】
入力部Ｗ２Ａ１、Ｗ２Ａ２、Ｗ２Ａ３及びＷ２Ａ４は、それぞれ、成果情報Ｄ１、目標情報Ｄ２、該目標情報Ｄ２に係る補足情報及び責任者情報Ｄ３の入力処理のために用いられる。
【００９８】
入力部Ｗ２Ａ１を介して入力処理される成果情報Ｄ１は、入力部Ｗ２Ａ２を介して入力処理される目標情報Ｄ２に係る上位の成果情報Ｄ１として、該入力処理が受け付けられ、格納される構成が好ましい。このとき、該入力部Ｗ２Ａ１は、トグル形式の態様で表示処理され、成果情報Ｄ１が択一的に選択できる構成が好ましい。このとき、該成果情報Ｄ１は、データベースＤＢ３上で索出処理される。
【００９９】
図６（ｂ）は、ユーザ操作によるタブ切替部Ｗ２Ｂの選択を転機として、孤立ＯＫＲ紐付けの入力画面モードが指定された際の（図３、ステップＳ２０２）、成果目標入力画面Ｗ２を図示している。
【０１００】
図６（ｂ）にて例示される成果目標入力画面Ｗ２は、入力部Ｗ２Ｂ１、Ｗ２Ｂ２、Ｗ２Ｂ３、Ｗ２Ｂ４及びＷ２Ｂ５と、入力部Ｗ２１と、入力部Ｗ２２と、を含む。
【０１０１】
入力部Ｗ２Ｂ１、Ｗ２Ｂ２、Ｗ２Ｂ３、Ｗ２Ｂ４及びＷ２Ｂ５は、それぞれ、目標情報Ｄ２、成果情報Ｄ１、目標情報Ｄ２に係る補足情報及び責任者情報Ｄ３の入力処理のために用いられる。
【０１０２】
入力部Ｗ２Ｂ１では、従属関係が設定されていない目標情報Ｄ２を、孤立目標情報として入力可能である構成が好ましい。このとき、該入力部Ｗ２Ｂ１は、トグル形式の態様で表示処理され、該孤立目標情報が択一的に選択可能である構成が好ましい。このとき、該孤立目標情報は、データベースＤＢ３上で索出処理される。
【０１０３】
入力部Ｗ２Ｂ２を介して択一的に入力処理される成果情報Ｄ１は、入力部Ｗ２Ｂ３を介して入力処理される目標情報Ｄ２に係る上位の成果情報Ｄ１として、該入力処理が受け付けられ、格納される構成が好ましい。
【０１０４】
入力部Ｗ２Ｂ３を介して入力処理される目標情報Ｄ２と、入力部Ｗ２Ｂ３を介して入力処理される孤立目標情報とは、従属関係が適用される構成が好ましい。なお、本実施形態では、該適用の際に孤立目標情報が上流となる場合を例示している。
【０１０５】
図６（ｃ）は、ユーザ操作によるタブ切替部Ｗ２Ｃの選択を転機として、前期ＯＫＲコピーの入力画面モードが指定された際の（図３、ステップＳ２０３）、成果目標入力画面Ｗ２を図示している。
【０１０６】
図６（ｃ）にて例示される成果目標入力画面Ｗ２は、入力部Ｗ２Ｃ１、Ｗ２Ｃ２、Ｗ２Ｃ３、Ｗ２Ｃ４及びＷ２Ｃ５と、入力部Ｗ２１と、入力部Ｗ２２と、を含む。
【０１０７】
入力部Ｗ２Ｃ１、Ｗ２Ｃ２、Ｗ２Ｃ３、Ｗ２Ｃ４及びＷ２Ｃ５は、それぞれ、目標情報Ｄ２、成果情報Ｄ１、目標情報Ｄ２、目標情報Ｄ２に係る補足情報及び責任者情報Ｄ３の入力処理のために用いられる。
【０１０８】
入力部Ｗ２Ｃ１では、締切情報Ｄ６に基づき、期限超過している目標情報Ｄ２を前期目標情報として入力できる構成が好ましい。このとき、該入力部Ｗ２Ｃ１は、トグルの態様で表示処理され、該前期目標情報が択一的に選択可能である構成が好ましい。このとき、該前期目標情報は、データベースＤＢ３上で索出処理される。
【０１０９】
入力部Ｗ２Ｃ２を介して択一的に入力処理される成果情報Ｄ１は、入力部Ｗ２Ｃ３を介して入力処理される目標情報Ｄ２に係る上位の成果情報Ｄ１として、該入力処理が受け付けられ、格納される構成が好ましい。
【０１１０】
入力部Ｗ２Ｃ３を介して入力処理される目標情報Ｄ２と、入力部Ｗ２Ｃ３を介して入力処理される前期目標情報とは、従属関係が適用される構成が好ましい。なお、本実施形態では、該適用の際に、前期目標情報が上流となる場合を例示している。
【０１１１】
成果目標入力画面Ｗ２上の入力部Ｗ２１及び入力部Ｗ２２は、ともに、成果目標入力画面Ｗ２に係る表示取消意思の入力処理のために用いられる。
【０１１２】
本実施形態では、成果目標表示画面Ｗ１と、成果目標入力画面Ｗ２とが重ねて表示処理されている際に、ユーザ操作による、該成果目標入力画面Ｗ２に係る表示処理範囲外の指定を転機として、該成果目標表示設定画面Ｗ１３に係る表示処理の取消が行われる構成としてもよい。このとき、該成果目標表示設定画面Ｗ１３において指定されている入力画面モードに依らず、該取消が行われる構成が好ましい。
【０１１３】
入力部Ｗ２２を介して成果目標入力画面Ｗ２に係る表示取消意思が入力された場合、入力部を介して入力された成果目標情報に基づき、成果目標表示画面Ｗ１に係る表示処理が更新される。
【０１１４】
次に、本実施形態における成果目標入力画面Ｗ２０を、図７（ａ）及び図７（ｂ）を交えて、例示する。
【０１１５】
本実施形態における成果目標入力画面Ｗ２０は、ユーザ操作による成果目標情報表示部Ｃ０の指定を転機として、成果目標表示画面Ｗ１に対して、重ねて表示処理される構成が好ましい。該成果目標入力画面Ｗ２０は、入力画面モードの切替のために用いられる、タブ切替部Ｗ２０Ａ、Ｗ２０Ｂ及びＷ２０Ｃを含む。
【０１１６】
図７（ａ）は、ユーザ操作によるタブ切替部Ｗ２０Ａの選択された際の、成果目標入力画面Ｗ２０を図示している。該成果目標入力画面Ｗ２０は、入力部Ｗ２０Ａ１、Ｗ２０Ａ２及びＷ２０Ａ３と、入力部Ｗ２０１と、入力部Ｗ２０２と、を含む。
【０１１７】
成果目標入力画面Ｗ２０における入力部Ｗ２０Ａ１、Ｗ２０Ａ２及びＷ２０Ａ３は、それぞれ、達成進捗、責任者及び成果目標に係る補足情報の入力のために用いられる。このとき、入力部Ｗ２０Ａ１は、スライダー形式で、達成進捗に係る数値情報を入力する構成としてもよい。
【０１１８】
成果目標入力画面Ｗ２０においてユーザ入力された成果目標情報は、該成果目標入力画面Ｗ２０に係る表示処理の転機となった、成果目標情報表示部Ｃ０に対応付けられた目標情報Ｄ２に対して、対応付けられる構成が好ましい。
【０１１９】
本実施形態における入力部Ｗ２０Ａ１において入力処理された達成進捗と、対応付けの対象としての目標情報Ｄ２の下位の成果目標に係る達成進捗に基づき算出された達成進捗と、で相違する場合、該相違を示す情報が成果目標入力画面Ｗ２０上で表示処理される構成が好ましい。
【０１２０】
本実施形態では、任意の成果目標情報において、ユーザ入力された達成進捗情報Ｄ５と、従属関係に基づき算出された達成進捗情報Ｄ５と、が相違する場合、ユーザ入力された達成進捗情報Ｄ５に基づく達成進捗の算出が抑止される。具体的には、入力部Ｗ２０Ａ１において入力処理された達成進捗と、対応付けの対象としての目標情報Ｄ２の下位の成果目標に係る達成進捗に基づき算出された達成進捗と、で相違する場合、達成進捗に係る連動が解除される。入力処理された達成進捗が、成果情報Ｄ１の達成進捗となり、成果目標情報が有する目標情報Ｄ２及び成果情報Ｄ１への、達成進捗に係る連動結果の反映が抑止される。なお、成果目標情報に係る入力処理が行われていない場合、該抑止に係る処理は行われず、入力処理された達成進捗に基づく算出が行われる。
【０１２１】
入力部Ｗ２０１は、成果目標情報の無効化のために用いられる。このとき、無効化された成果目標情報は、外観上、区別され表示処理される。このとき、該成果目標情報と従属関係をもつ成果目標情報も無効化され、ユーザに対し通知処理が行われる構成が好ましい。なお、入力部Ｗ２０２は、成果目標情報の削除のために用いられる。
【０１２２】
成果目標入力画面Ｗ２０において、タブ切替部Ｗ２０Ｂが選択された場合、該成果目標入力画面Ｗ２０に対応付けられた目標情報Ｄ２に係る従属関係を、入力部を介して入力処理が可能となる。このとき、該入力処理に基づき、ネットワーク図を含む成果目標表示画面Ｗ１に係る表示処理と、達成進捗の算出と、が行われる。
【０１２３】
図７（ｂ）は、ユーザ操作によるタブ切替部Ｗ２０Ｃの選択された際の、成果目標入力画面Ｗ２０を図示している。該成果目標入力画面Ｗ２０は、重要な成果（Ｋｅｙ  Ｒｅｓｕｌｔ）に係る入力処理の用に供され、入力部Ｗ２１３、Ｗ２１４、Ｗ２１５、Ｗ２１６及びＷ２１８と、入力部Ｗ２１１と、入力部Ｗ２１２と、を含む。
【０１２４】
入力部Ｗ２１３、Ｗ２１４、Ｗ２１５、Ｗ２１６及びＷ２１８は、それぞれ、成果情報Ｄ１、該成果情報Ｄ１に係る補足情報、該成果情報Ｄ１に係る達成目標を示す数値情報、締切情報Ｄ６、責任者情報Ｄ３及び関係者情報Ｄ４に係る入力処理のために用いられる。また、達成進捗に対応付けられた自信度パラメータＤ５Ｐに係る入力処理のために用いられる構成としてもよい。
【０１２５】
成果情報Ｄ１を含む成果目標情報の入力処理は、成果目標入力画面Ｗ２０に対応付けられた成果目標情報に係る責任者情報Ｄ３若しくは関係者情報Ｄ４に基づき行われる構成が好ましい。具体的には、ユーザ識別情報が、該責任者情報Ｄ３若しくは該関係者情報Ｄ４と対応付けられていない場合、該入力処理を受け付けない構成としてもよい。
【０１２６】
成果情報Ｄ１を含む成果目標情報の入力処理は、成果目標入力画面Ｗ２０に対応付けられた成果目標情報に係る締切情報Ｄ６に基づき行われる構成が好ましい。該成果目標情報が締切日時を超過している場合、該入力処理の受付処理は抑止される。
【０１２７】
入力部Ｗ２１１及び入力部Ｗ２１２は、ともに、成果目標入力画面Ｗ２０に係る表示取消意思の入力処理のために用いられる。
【０１２８】
本実施形態では、成果目標表示画面Ｗ１と、成果目標入力画面Ｗ２０とが重ねて表示処理されている際に、ユーザ操作による、該成果目標入力画面Ｗ２０に係る表示処理範囲外の指定を転機として、該成果目標入力画面Ｗ２０に係る表示処理の取消が行われる構成としてもよい。なお、入力部Ｗ２０１及び入力部Ｗ２０２の選択を転機として、該取消が行われる構成としてもよい。
【０１２９】
入力部Ｗ２１２を介して成果目標入力画面Ｗ２０に係る表示取消意思が入力された場合、入力部を介して入力された成果目標情報に基づき、成果目標表示画面Ｗ１に係る表示処理が更新される。
【０１３０】
本実施形態では、成果目標に係る補足情報が入力された際に、該成果目標に対応付けられた責任者又は関係者に対して、該入力に係るメール通知がされる構成としてもよい。
【０１３１】
本発明によれば、目標の意義と全体像を俯瞰できる透明性の高い目標管理システムを実現できる。
【符号の説明】
【０１３２】
１  目標管理システム
２  ユーザ端末
３  管理サーバ
２０１、３０１  ＣＰＵ
２０２、３０２  ＲＡＭ
２０３、３０３  入力装置
２０４、３０４  出力装置
２０５、３０５  通信装置
２０６、３０６  記録装置
２０７、３０７  オペレーティングシステム
２０８、３０８  目標管理プログラム
３１  表示手段
３２  計算手段
３３  受付手段
ＤＢ３  データベース
ＮＷ  ネットワーク
Ｗ１  成果目標表示画面
Ｗ２、Ｗ２０  成果目標入力画面
ＯＫＲ１、ＯＫＲ２  成果目標情報
Ｄ１  成果情報
Ｄ２  目標情報
Ｄ３  責任者情報
Ｄ４  関係者情報
Ｄ５  達成進捗情報
Ｄ５Ｂ、Ｄ５Ｃ  達成進捗情報表示部
Ｄ５Ｐ  自信度パラメータ
Ｄ６  締切情報
Ｓ１０１、Ｓ１０２、Ｓ１０３、Ｓ１０４、Ｓ２００、Ｓ２０１、Ｓ２０２、Ｓ２０２、Ｓ２０３、Ｓ３００、Ｓ４００  ステップ
Ｃ０  成果目標情報表示部
Ｐ０  成果目標従属パス
Ｍ０Ａ、Ｍ０Ｂ  成果目標マップ
Ｌ１Ａ、Ｌ２Ａ、Ｌ３Ａ、Ｌ４Ａ、Ｌ５Ａ、Ｌ６Ａ、Ｌ７Ａ、Ｌ８Ａ、Ｌ９Ａ、Ｌ１Ｂ、Ｌ２Ｂ、Ｌ３Ｂ、Ｌ４Ｂ、Ｌ５Ｂ、Ｌ６Ｂ、Ｌ７Ｂ、Ｂ、Ｌ９Ｂ  階層
Ｗ１１  成果目標一覧表示部
Ｗ１１Ａ、Ｗ１１Ｂ  タブ切替部
Ｗ１１Ｃ、Ｗ１１Ｄ  入力部
Ｗ１２  成果目標マップ表示部
Ｔ１、Ｔ２、Ｔ３、Ｔ４、Ｔ５、Ｔ６  入力部
Ｃ０Ａ  関係者情報表示部
Ｗ１３  成果目標表示設定画面
Ｗ１３１、Ｗ２１、Ｗ２１１、Ｗ１３２、Ｗ２２、Ｗ２１２、Ｗ２０１、Ｗ２０２  入力部
Ｗ２Ａ、Ｗ２Ｂ、Ｗ２Ｃ、Ｗ２０Ａ、Ｗ２０Ｂ、Ｗ２０Ｃ  タブ切替部
Ｗ２Ａ１、Ｗ２Ａ２、Ｗ２Ａ３、Ｗ２Ａ４、Ｗ２Ｂ１、Ｗ２Ｂ２、Ｗ２Ｂ３、Ｗ２Ｂ４、Ｗ２Ｂ５、Ｗ２Ｃ１、Ｗ２Ｃ２、Ｗ２Ｃ３、Ｗ２Ｃ４、Ｗ２Ｃ５、Ｗ２０Ａ１、Ｗ２０Ａ２、Ｗ２０Ａ３、Ｗ２１３、Ｗ２１４、Ｗ２１５、Ｗ２１６、Ｗ２１７、Ｗ２１８  入力部
【図１】
2020046733.tif 000003
【図２】
2020046733.tif 000004
【図３】
2020046733.tif 000005
【図４】
2020046733.tif 000006
【図５】
2020046733.tif 000007
【図６】
2020046733.tif 000008
【図７】
2020046733.tif 000009
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
目標管理システムであって、
成果及び目標を含む成果目標、前記成果及び目標のそれぞれと対応する達成進捗、締切日時、責任者及び関係者に係る情報を含む成果目標情報を入力するための成果目標入力画面と、前記成果目標情報を含む成果目標表示画面と、を表示処理する表示手段と、
前記成果目標情報に係る従属関係に基づき、前記達成進捗を算出する計算手段と、
前記成果目標情報に係る入力を受付処理する受付手段と、を有し、
前記成果目標表示画面は、前記達成進捗を示すチャート図、及び、前記従属関係を示すパスと前記成果目標情報を示す表示とを含むネットワーク図を、含み、
前記計算手段は、任意の前記成果目標情報において、ユーザ入力された前記目標の前記達成進捗と、前記成果の前記達成進捗及び前記従属関係に基づき算出された前記目標の前記達成進捗と、が相違する場合、当該ユーザ入力された前記目標と対応する前記達成進捗に基づく上位の前記目標の前記達成進捗の算出を抑止すること、
を特徴とする目標管理システム。
【請求項２】
前記表示手段は、任意の前記成果目標情報において、入力された前記達成進捗と、前記従属関係に基づき算出された前記達成進捗と、が相違する場合、該相違を示す情報を表示処理すること、
を特徴とする請求項１に記載の目標管理システム。
【請求項３】
前記表示手段は、前記成果目標情報が指定されることを転機として、該成果目標情報に係る前記従属関係に基づき、前記ネットワーク図を表示処理すること、
を特徴とする請求項１または２に記載の目標管理システム。
【請求項４】
前記表示手段は、前記責任者又は関係者に係る情報に基づき、前記ネットワーク図を表示処理し、従属関係を有する２つの成果目標情報のそれぞれの責任者情報が一致する場合、前記パスを実線として表示処理し、従属関係を有する２つの成果目標情報のそれぞれの責任者情報が一致しない場合、前記パスを破線として表示処理し、実線の前記パスと破線の前記パスが重複する場合、前記パスの重複部分を実線として表示処理すること、
を特徴とする請求項１〜３の何れかに記載の目標管理システム。
【請求項５】
前記受付手段は、前記締切日時を超過した前記成果目標情報に係る受付処理を抑止し、前記成果目標情報と、前記締切日時を超過した前記成果目標情報と、における前記従属関係に係る入力を受付処理し、
前記表示手段は、前記成果目標表示画面における、前記締切日時を超過した成果目標情報に係る表示を、外観上、区別し、表示処理し、ユーザ入力に基づき、前記ネットワーク図を表示処理すること、
を特徴とする請求項１〜４の何れかに記載の目標管理システム。
【請求項６】
前記表示手段は、前記ネットワーク図において、一次元方向における前記成果目標情報の表示数に係る制限、及び、前記パスに係る交差の抑止を、行い、
前記ネットワーク図における同階層の１以上の成果目標表示情報を示す表示のそれぞれは、同一の成果目標情報を示す表示と前記パスで接続されること、
を特徴とする請求項１〜５の何れかに記載の目標管理システム。
【請求項７】
目標管理方法であって、
成果及び目標を含む成果目標、達成進捗、締切日時、責任者及び関係者に係る情報を含む成果目標情報を入力するための成果目標入力画面と、前記成果目標情報を含む成果目標表示画面と、を表示処理する表示ステップと、
前記成果目標情報に係る従属関係に基づき、前記達成進捗を算出する計算ステップと、
前記成果目標情報に係る入力を受付処理する受付ステップと、をコンピュータのプロセッサに実行させ、
前記成果目標表示画面は、前記達成進捗を示すチャート図、及び、前記従属関係を示すパスと前記成果目標情報を示す表示とを含むネットワーク図を、含み、
前記計算ステップは、任意の前記成果目標情報において、ユーザ入力された前記目標の前記達成進捗と、前記成果の前記達成進捗及び前記従属関係に基づき算出された前記目標の前記達成進捗と、が相違する場合、当該ユーザ入力された前記目標と対応する前記達成進捗に基づく上位の前記目標の前記達成進捗の算出を抑止すること、
を特徴とする目標管理方法。
【請求項８】
目標管理プログラムであって、
コンピュータを、成果及び目標を含む成果目標、達成進捗、締切日時、責任者及び関係者に係る情報を含む成果目標情報を入力するための成果目標入力画面と、前記成果目標情報を含む成果目標表示画面と、を表示処理する表示手段と、
前記成果目標情報に係る従属関係に基づき、前記達成進捗を算出する計算手段と、
前記成果目標情報に係る入力を受付処理する受付手段と、として機能させ、
前記成果目標表示画面は、前記達成進捗を示すチャート図、及び、前記従属関係を示すパスと前記成果目標情報を示す表示とを含むネットワーク図を、含み、
前記計算手段は、任意の前記成果目標情報において、ユーザ入力された前記目標の前記達成進捗と、前記成果の前記達成進捗及び前記従属関係に基づき算出された前記目標の前記達成進捗と、が相違する場合、当該ユーザ入力された前記目標と対応する前記達成進捗に基づく上位の前記目標の前記達成進捗の算出を抑止すること、
を特徴とする目標管理プログラム。
【手続補正２】
【補正対象書類名】明細書
【補正対象項目名】０００８
【補正方法】変更
【補正の内容】
【０００８】
上記課題を解決するために、本発明は、目標管理システムであって、
成果及び目標を含む成果目標、達成進捗、締切日時、責任者及び関係者に係る情報を含む成果目標情報を入力するための成果目標入力画面と、前記成果目標情報 を含む成果目標表示画面と、を表示処理する表示手段と、
前記成果目標情報に係る従属関係 に基づき、前記達成進捗を算出する計算手段と、
前記成果目標情報に係る入力を受付処理する受付手段と、を有し、
前記成果目標表示画面は、前記達成進捗を示すチャート図、及び、前記従属関係を示すパスと前記成果目標情報を示す表示とを含むネットワーク図を、含むことを特徴とする。
【手続補正３】
【補正対象書類名】図面
【補正対象項目名】図３
【補正方法】変更
【補正の内容】
【図３】
2020046733.tif 000010